(57)【要約】【課題】  小型軽量化と高変倍比化を両立しつつ、全ズーム範囲で良好な光学性能が達成されたズームレンズを得る。【解決手段】  物体側から順に、変倍中固定の正の第１群、変倍用に移動の負の第２群、変倍用に移動の正の第３群、変倍用に移動の正の第４群、変倍中固定の正の第５群で構成されるズームレンズは、第２群の広角端における横倍率β２ｗと望遠端における横倍率β２ｔとの比（Ｚ２＝β２ｔ／β２ｗ）の自然対数をＬＮ（Ｚ２）、第３群と第４群の広角端における合成の横倍率β３４ｗと望遠端における合成の横倍率β３４ｔとの比（Ｚ３４＝β３４ｔ／β３４ｗ）の自然対数をＬＮ（Ｚ３４）、広角端と望遠端における第３群と第４群の合成焦点距離をそれぞれｆ３４ｗ、ｆ３４ｔとするとき、    １．５０＜ＬＮ（Ｚ２）／ＬＮ（Ｚ３４）＜２．３０    ０．７０＜ｆ３４ｗ／ｆ３４ｔ＜０．９６なる条件式を満足する。【選択図】  図１
2014081464.tif 000002
【特許請求の範囲】
【請求項１】
物体側から順に、変倍のためには移動しない正の第１群、変倍に際し移動する負の第２群、変倍に際し移動する正の第３群、変倍に際し移動する正の第４群、変倍のためには移動しない正の第５群で構成されるズームレンズにおいて、前記第２群の広角端における横倍率β２ｗと望遠端における横倍率β２ｔとの比（Ｚ２＝β２ｔ／β２ｗ）の自然対数をＬＮ（Ｚ２）、前記第３群と前記第４群の広角端における合成の横倍率β３４ｗと望遠端における合成の横倍率β３４ｔとの比（Ｚ３４＝β３４ｔ／β３４ｗ）の自然対数をＬＮ（Ｚ３４）、広角端と望遠端における前記第３群と前記第４群の合成焦点距離をそれぞれｆ３４ｗ、ｆ３４ｔとするとき、
１．５０＜ＬＮ（Ｚ２）／ＬＮ（Ｚ３４）＜２．３０
０．７０＜ｆ３４ｗ／ｆ３４ｔ＜０．９６
を満足することを特徴とするズームレンズ。
【請求項２】
広角端を基準としたときの望遠端での前記第２群と前記第３群の光軸上での変位量をそれぞれｍ２、ｍ３とするとき、
１．９０＜｜ｍ２／ｍ３｜＜３．００
を満足することを特徴とする請求項１に記載のズームレンズ。
【請求項３】
前記第４群の広角端と望遠端における横倍率をそれぞれβ４ｗ、β４ｔとするとき、
０．７０＜β４ｔ／β４ｗ＜１．０５
を満足することを特徴とする請求項１または２に記載のズームレンズ。
【請求項４】
前記第１群の焦点距離をｆ１、望遠端におけるレンズ全系の焦点距離をｆｔとするとき、
３．３０＜ｆｔ／ｆ１＜５．５０
を満足することを特徴とする請求項１乃至３のいずれか１項に記載のズームレンズ。
【請求項５】
前記第３群と前記第４群の広角端と望遠端における空気間隔をそれぞれＬ３４ｗ、Ｌ３４ｔとするとき、
１．００＜Ｌ３４ｔ／Ｌ３４ｗ＜２００．００
を満足することを特徴とする請求項１乃至４のいずれか１項に記載のズームレンズ。
【請求項６】
請求項１乃至５のいずれか１項に記載のズームレンズと前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高変倍比でしかも高い光学性能を有したズームレンズが要望されている。広画角、高変倍比のズームレンズとして、最も物体側に正の屈折力のレンズ群を配置した５つのレンズ群より成るポジティブリード型の５群ズームレンズが知られている。このポジティブリード型のズームレンズで、バリエータとコンペンセータの機能を持つ変倍群を３つの可動群で構成し、互いに異なった軌跡で移動した５群ズームレンズが知られている（特許文献１〜３）。
【０００３】
特許文献１では、変倍比が５０倍程度で、物体側から順に正の第１群、負の第２群、正の第３群、正の第４群、正の第５群で構成され、変倍に伴って第２〜第４群が移動するズームレンズが開示されている。
【０００４】
特許文献２では、変倍比が２．５倍程度で物体側から順に正の第１群、負の第２群、負の第３群、正の第４群、正の第５群で構成され、変倍に伴って第２〜第４群が移動するズームレンズが開示されている。
【０００５】
特許文献３では、変倍比が５倍程度で、物体側から順に正の第１群、負の第２群、負の第３群、正の第４群、正の第５群で構成され、変倍に伴って第２〜第４群が移動するズームレンズが開示されている。
【先行技術文献】
【特許文献】
【０００６】
【特許文献１】特開２００９−１２８４９２号公報
【特許文献２】特開平０８−２３４１０５号公報
【特許文献３】特開平０１−１２６６１４号公報
【発明の概要】
【発明が解決しようとする課題】
【０００７】
特許文献１〜３の５群ズームレンズに対し、高変倍比化に伴う課題として、移動群の移動量増加に伴う全長増大と変倍に伴う諸収差変動の増大が挙げられる。
５群ズームレンズにおいて、小型・軽量化と高変倍比化を達成しつつ、高い光学性能を得るには変倍群としての第２、第３、第４群の広角端から望遠端にかけての各群の近軸配置を適切に設定することが重要になってくる。
この他、第３、第４群の合成の屈折力、そして第４群の広角端から中間のズーム位置に至る移動軌跡等を適切に設定することが重要である。
【０００８】
本発明は、屈折力配置や変倍移動群の移動軌跡等を適切に規定することで、高変倍比化を達成しつつ、全長増大に伴う大型化を抑制し且つ諸収差を良好に補正可能なズームレンズおよびそれを有する撮像装置の提供を目的とする。
【課題を解決するための手段】
【０００９】
本発明のズームレンズは、物体側から順に、変倍のためには移動しない正の第１群、変倍に際して移動する負の第２群、変倍に際して移動する正の第３群、変倍に際して移動する正の第４群、変倍のためには移動しない正の第５群で構成されるズームレンズにおいて、前記第２群の広角端における横倍率β２ｗと望遠端における横倍率β２ｔとの比（Ｚ２＝β２ｔ／β２ｗ）の自然対数をＬＮ（Ｚ２）、前記第３群と前記第４群の広角端における合成の横倍率β３４ｗと望遠端における合成の横倍率β３４ｔとの比（Ｚ３４＝β３４ｔ／β３４ｗ）の自然対数をＬＮ（Ｚ３４）、広角端と望遠端における前記第３群と前記第４群の合成焦点距離をそれぞれｆ３４ｗ、ｆ３４ｔとするとき、
１．５０＜ＬＮ（Ｚ２）／ＬＮ（Ｚ３４）＜２．３０
０．７０＜ｆ３４ｗ／ｆ３４ｔ＜０．９６
なる条件式を満足することを特徴としている。
【発明の効果】
【００１０】
本発明によれば、高変倍比化を達成しつつ、全長増大に伴う大型化を抑制し且つ諸収差を良好に補正可能なズームレンズが得られる。
【図面の簡単な説明】
【００１１】
【図１】実施例１のズームレンズの広角端におけるレンズ断面図である。
【図２】実施例１のズームレンズの広角端（Ａ）、焦点距離９０ｍ（Ｂ）、望遠端（Ｃ）における収差図である。
【図３】実施例２のズームレンズの広角端におけるレンズ断面図である。
【図４】実施例２のズームレンズの広角端（Ａ）、焦点距離８５ｍｍ（Ｂ）、望遠端（Ｃ）における収差図である。
【図５】実施例３のズームレンズの広角端におけるレンズ断面図である。
【図６】実施例３のズームレンズの広角端（Ａ）、焦点距離９０ｍｍ（Ｂ）、望遠端（Ｃ）における収差図である。
【図７】実施例４のズームレンズの広角端におけるレンズ断面図である。
【図８】実施例４のズームレンズの広角端（Ａ）、焦点距離９０ｍｍ（Ｂ）、望遠端（Ｃ）における収差図である。
【図９】実施例５のズームレンズの広角端におけるレンズ断面図である。
【図１０】実施例５のズームレンズの広角端（Ａ）、焦点距離８５ｍｍ（Ｂ）、望遠端（Ｃ）における収差図である。
【図１１】実施例６のズームレンズの広角端におけるレンズ断面図である。
【図１２】実施例６のズームレンズの広角端（Ａ）、焦点距離９０ｍｍ（Ｂ）、望遠端（Ｃ）における収差図である。
【図１３】実施例７のズームレンズの広角端におけるレンズ断面図である。
【図１４】実施例７のズームレンズの広角端（Ａ）、焦点距離３５ｍｍ（Ｂ）、望遠端（Ｃ）における収差図である。
【図１５】本発明のズームレンズの変倍の際の軌跡の模式図（Ａ）と、比較対象としての５群ズームレンズの移動軌跡の模式図（Ｂ）である。
【図１６】望遠端における近軸配置の模式図である。
【図１７】本発明の撮像装置の要部概略図である。
【発明を実施するための形態】
【００１２】
以下に本発明の実施の形態を添付の図面に基づいて詳細に説明する。
本発明のズームレンズは、物体側から像側へ順に、変倍のためには移動しない正の屈折力の第１群、変倍に際して移動する負の屈折力の第２群、変倍に際して移動する正の屈折力の第３群、変倍に際して移動する正の屈折力の第４群を有する。更に変倍ためには移動しない正の屈折力の第５群から構成されている。
【００１３】
図１は、本発明の実施例１としての数値実施例１の広角端（短焦点距離端）で、無限遠物体に合焦しているときのレンズ断面図である。図２は、数値実施例１の広角端(Ａ)、ｆ＝９０ｍｍ(Ｂ)、望遠端（長焦点距離端）(Ｃ)における無限遠物体に合焦しているときの縦収差図である。
【００１４】
図３は、本発明の実施例２としての数値実施例２の広角端で、無限遠物体に合焦しているときのレンズ断面図である。図４は、数値実施例２の広角端(Ａ)、ｆ＝８５ｍｍ(Ｂ)、望遠端(Ｃ)における無限遠物体に合焦しているときの縦収差図である。
【００１５】
図５は、本発明の実施例３としての数値実施例３の広角端で、無限遠物体に合焦しているときのレンズ断面図である。図６は、数値実施例３の広角端(Ａ)、ｆ＝９０ｍｍ(Ｂ)、望遠端(Ｃ)における無限遠物体に合焦しているときの縦収差図である。
【００１６】
図７は、本発明の実施例４としての数値実施例４の広角端で、無限遠物体に合焦しているときのレンズ断面図である。図８は、数値実施例４の広角端(Ａ)、ｆ＝９０ｍｍ(Ｂ)、望遠端(Ｃ)における無限遠物体に合焦しているときの縦収差図である。
【００１７】
図９は、本発明の実施例５としての数値実施例５の広角端、無限遠物体に合焦しているときのレンズ断面図である。図１０は、数値実施例５の広角端(Ａ)、ｆ＝８５ｍｍ(Ｂ)、望遠端(Ｃ)における無限遠物体に合焦しているときの縦収差図である。
【００１８】
図１１は、本発明の実施例６としての数値実施例６の広角端で、無限遠物体に合焦しているときのレンズ断面図である。図１２は、数値実施例６の広角端(Ａ)、ｆ＝９０ｍｍ(Ｂ)、望遠端(Ｃ)における無限遠物体に合焦しているときの縦収差図である。
【００１９】
図１３は、本発明の実施例７としての数値実施例７の広角端で、無限遠物体に合焦しているときのレンズ断面図である。図１４は、数値実施例７の広角端(Ａ)、ｆ＝３５ｍｍ(Ｂ)、望遠端(Ｃ)における無限遠物体に合焦しているときの縦収差図である。
【００２０】
図１５は、本発明のズームレンズの模式図(Ａ)と、第３群と第４群の間隔が変倍に際し固定である、４群ズームレンズ相当の５群ズームレンズの近軸配置の模式図(Ｂ)である。各レンズ断面図において、左方が被写体（物体）側（前方）で、右方が像側（後方）である。Ｕ１は変倍のためには不動の正の屈折力の第１群である。Ｕ２は変倍に際し移動する負の屈折力の第２群であり、光軸上を像面側へ移動させることにより、広角端から望遠端への変倍を行っている。Ｕ３とＵ４は共に変倍に際し移動する正の屈折力の第３群および第４群であり、広角端から望遠端にかけて、光軸上を移動する。ＳＰは開口絞り、Ｕ５は変倍のためには移動しない結像作用を有する正の屈折力の第５群（リレー群）である。第５群Ｕ５内には、焦点距離変換用のコンバータ（エクステンダ）等が装着されても良い。ＤＧは色分解プリズムや光学フィルタ等であり、同図ではガラスブロックとして示している。ＩＰは像面であり、固体撮像素子の撮像面に相当する。
【００２１】
各収差図において、球面収差における直線と破線は各々ｅ線，ｇ線である。非点収差における実線と一点鎖線は各々サジタル像面，メリディオナル像面であり、倍率色収差はｇ線によって表している。非点収差および倍率色収差は、絞り位置における光束の中心を通る光線を主光線としたときの、収差量を示している。ωは近軸での半画角、ＦｎｏはＦナンバーである。尚、以下の各実施例において広角端と望遠端は変倍用レンズ群が機構上、光軸上を移動可能な範囲の両端に位置したときの変倍位置をいう。
【００２２】
各実施例のズームレンズは、第２群の変倍比と、第３群と第４群の合成の変倍比との比、および広角端と望遠端における第３群と第４群の合成焦点距離の比を規定することにより、高変倍比と全系の小型軽量を両立しつつ、収差補正を良好に行っている。
【００２３】
具体的には、物体側から順に、変倍のためには移動しない正の第１群、変倍に際し移動する負の第２群、変倍に際し移動する正の第３群、変倍に際し移動する正の第４群、変倍のためには移動しない正の第５群で構成されるズームレンズにおいて、前記第２群の広角端における横倍率β２ｗと望遠端における横倍率β２ｔとの比（Ｚ２＝β２ｔ／β２ｗ）の自然対数をＬＮ（Ｚ２）、前記第３群と前記第４群の広角端における合成の横倍率β３４ｗと望遠端における合成の横倍率β３４ｔとの比（Ｚ３４＝β３４ｔ／β３４ｗ）の自然対数をＬＮ（Ｚ３４）、広角端と望遠端における前記第３群と前記第４群の合成焦点距離をそれぞれｆ３４ｗ、ｆ３４ｔとするとき、
１．５０＜ＬＮ（Ｚ２）／ＬＮ（Ｚ３４）＜２．３０
０．７０＜ｆ３４ｗ／ｆ３４ｔ＜０．９６
なる条件式を満足することを特徴としている。
【００２４】
以下より、模式図等を用いながら、特徴の詳細な説明と、その効果について説明する。
本発明のズームレンズは、望遠端において主変倍群である第２群の移動量をその他の移動群である第３群および第４群に比べて大きくすることで、高変倍比化を容易とする構成としている。具体的な移動軌跡を、模式図である図１５を用いて説明する。図１５(Ａ)は、本発明の変倍移動群の軌跡を、図１５(Ｂ)は、変倍移動群が２群で構成される４群ズームレンズ相当、すなわち第３群と第４群が同じ軌跡を描く場合の軌跡を示した模式図である。図１５(Ｂ)のように、第３群と第４群が一体となって移動する場合と比べ、図１５(Ａ)では、広角端を基準としたときの望遠端での光軸方向の変位量が、第２群では増大し、第３群では減少し、第４群では更に減少するような軌跡を描く。
【００２５】
以下で、一般的に用いられる近軸結像式(７)を用いてその原理を説明する。ここでは、第２群をバリエータＶ、第３群と第４群をひとつの群とみなし、コンペンセータＣとして説明を行う。図１６は、本発明の望遠端におけるバリエータＶの像点と、コンペンセータＣの像点、コンペンセータＣの配置の関係を模式的に示した図である。
１／ｓ’＝１／ｓ＋１／ｆｃ  ・・・(７)
近軸結像式(７)のｓは、図１６の中のバリエータＶの像点からコンペンセータＣまでの距離であり、本発明の構成では負の値をとる。
次にｓ’は、図１６中のコンペンセータＣから、コンペンセータＣにより作られる像点までの距離、ｆｃはコンペンセータＣの焦点距離であり、本発明の構成では共に正の値をとる。
【００２６】
バリエータＶの像点と、コンペンセータＣの像点を固定した状態のとき、ｓとｓ’には以下の関係式(８)が成立している。なお、式(８)のｃｏｎｓｔとは、定数を意味している。
｜ｓ｜＋｜ｓ’｜＝ｃｏｎｓｔ  ・・・(８)
【００２７】
また、本発明のズームレンズは、望遠端において第３群と第４群の合成の横倍率が−１を超えて負に大きくなる構成であるため、下記不等式(９)式を満足している。
｜ｓ｜＜｜ｓ’｜  ・・・(９)
ここで、本発明のズームレンズは、バリエータＶの像点およびコンペンセータＣの像点を固定した状態でありながら、コンペンセータＣをより像側に配置可能な構成とし、バリエータＶが望遠端でより像側へ変位することを可能としたことを特徴としている。式(８)と不等式(９)を満足しながら、コンペンセータＣがより像側に位置することは、図１６(Ｂ)のように、バリエータＶの像点からコンペンセータＣまでの距離が離れることに相当する。したがって、式(７)の右辺ｓは負に大きくなる。一方、左辺にあるｓ’は、ｓが大きくなった分だけ小さくなるため、コンペンセータＣの合成焦点距離ｆｃを長くする必要がある。
【００２８】
一般的に２つのレンズ群の合成焦点距離は、以下の式(１０)で表わされる。ｅ’３４は第３群と第４群の主点間隔である。
１／ｆｃ＝１／ｆ３＋１／ｆ４−ｅ’３４／（ｆ３×ｆ４）  ・・・（１０）
上記(１０)式より、望遠端で第３群と第４群の間隔Ｌ３４ｔを大きくすることで、コンペンセータＣすなわち第３群と第４群の合成焦点距離ｆｃを長くすることができ、バリエータＶが望遠端でより像側へ変位することが可能となる。また、望遠端で第３群〜第５群間隔が広がることを利用してＬ３４ｔを大きくできるため、効率的にｆｃを長くでき、その結果、第２群の変倍比を大きくすることができる。加えて、第２群は第３群に比べて有効径が小さく軽量であるため、第２群の移動量を相対的に増やして変倍比を大きくすることで、変倍に際する駆動のための仕事量を小さくすることができる。更に、第３群以降の横倍率が相対的に小さくなり、屈折力の強い第２群で発生する収差の拡大倍率を小さくすることができるため、高変倍比化を行う際に、望遠側での収差補正を有利に行うことができる。
【００２９】
このように、本発明では各移動群の広角端および望遠端での屈折力配置を適切に規定することにより、主変倍群である第２群の変倍比が大きくなる構成とし、高変倍比化とレンズ全長の短縮を両立している。
各実施例では、第２群の変倍比Ｚ２が、第３群と第４群の合成の変倍比Ｚ３４に比べて大きくなる構成とし、主変倍群である第２群の変倍分担が大きくなるようにしている。
【００３０】
条件式(１)は、第２群の変倍比Ｚ２（＝β２ｔ／β２ｗ）の自然対数ＬＮ（Ｚ２）と第３群と第４群の合成の変倍比Ｚ３４（＝β３４ｔ／β３４ｗ）の自然対数ＬＮ（Ｚ３４）との比を規定している。
１．５０＜ＬＮ（Ｚ２）／ＬＮ（Ｚ３４）＜２．３０  ・・・(１)
条件式(１)の上限の条件が満たされないと、望遠端で第２群の像側への変位量が大きくなり、変倍による収差変動の抑制が困難となる。
条件式(１)の下限の条件が満たされないと、第２群の変倍比を大きくする効果が得られず、高変倍化による移動群の移動量増加に伴うレンズ全長増大を抑制することが困難となる。
【００３１】
各実施例では、主変倍群である第２群が広角端から望遠端へ変倍する際に第３群に比べて広角端を基準としたときの望遠端における光軸方向の変位量が、大きくなるような構成としている。具体的には、望遠端において広角端に比べて第３群と第４群の合成焦点距離が長くなることで、第２群の望遠端における変位量が相対的に大きくなる構成としている。本発明において、主に変倍に寄与するのは第２群と第３群であるが、広角端における横倍率の絶対値は、第３群に比べて第２群の方が小さい。そのため、第２群の変位量を第３群の変位量に比べて相対的に大きくすることで、効率的に変倍比を大きくすることができ、レンズ全長を長くすることなく高変倍比化を達成することができる。
【００３２】
条件式(２)は、広角端における第３群と第４群の合成焦点距離ｆ３４ｗと、望遠端における第３群と第４群の合成焦点距離ｆ３４ｔの比を規定している。
０．７０＜ｆ３４ｗ／ｆ３４ｔ＜０．９６  ・・・(２)
条件式(２)の上限の条件が満たされないと、望遠端での第３群と第４群の合成焦点距離を長くすることができず、第２群の変位量を大きくすることができないため、高変倍比化とレンズ全長短縮の両立が困難となる。
条件式(２)の下限の条件が満たされないと、望遠端での第３群と第４群の合成焦点距離を長くするために、第４群が望遠端において、広角端を基準として像側に変位することになり、レンズ全長が増大してしまう。
【００３３】
更に好ましくは条件式(１)乃至(２)の数値範囲を次の如く設定するのが良い。
１．６５＜ＬＮ（Ｚ２）／ＬＮ（Ｚ３４）＜２．２０  ・・・(１ａ)
０．７７＜ｆ３４ｗ／ｆ３４ｔ＜０．９２  ・・・(２ａ)
以上のように、第２群の変倍比と、第３群と第４群の合成の変倍比との比、広角端における第３群と第４群の合成焦点距離ｆ３４ｗと、望遠端における第３群と第４群の合成焦点距離ｆ３４ｔの比を規定することにより、高変倍比と小型軽量化を両立している。各実施例において更に好ましくは次の諸条件のうち１以上を満足するのが良い。
【００３４】
広角端を基準としたときの望遠端での前記第２群と前記第３群の光軸上での変位量をそれぞれｍ２、ｍ３とする。第４群の広角端と望遠端における横倍率をそれぞれβ４ｗ、β４ｔとする。第１群の焦点距離をｆ１とする。望遠端におけるレンズ全系の焦点距離をｆｔとする。広角端と望遠端における第３群と第４群の空気間隔をそれぞれＬ３４ｗ、Ｌ３４ｔとする。
【００３５】
このとき、
１．９０＜｜ｍ２／ｍ３｜＜３．００  ・・・(３)
０．７０＜β４ｔ／β４ｗ＜１．０５  ・・・(４)
３．３０＜ｆｔ／ｆ１＜５．５０      ・・・(５)
１．００＜Ｌ３４ｔ／Ｌ３４ｗ＜２００．００  ・・・(６)
なる条件のうち１つ以上を満足するのが良い。
【００３６】
条件式(３)は、広角端を基準としたときの望遠端での前記第２群と前記第３群の光軸上での変位量ｍ２とｍ３の比を規定している。
条件式(３)を満足することで、高変倍比化とレンズの小型軽量化を両立することを容易としている。
条件式(３)の上限の条件が満たされないと、第２群の像側への変位量が大きくなりすぎることで、変倍による収差変動の抑制が困難となる。
条件式(３)の下限の条件が満たされないと、第２群の変倍比を大きくする効果が得られず、高変倍化による移動群の移動量増加に伴うレンズ全長増大を抑制することが困難となる。
【００３７】
条件式(４)は、第４群の広角端における横倍率β４ｗと、望遠端における横倍率β４ｔとの比を規定している。条件式(４)を満足することで、高変倍比化とレンズの小型軽量化を両立することを容易としている。
条件式(４)の上限の条件が満たされないと、第４群が望遠端において、広角端を基準として像側に変位することになり、レンズ全長が増大してしまう。
条件式(４)の下限の条件が満たされないと、第２群の変位量を大きくすることができず、高変倍比化とレンズ全長短縮の両立が困難となる。
【００３８】
条件式(５)は、第１群の焦点距離ｆ１と、望遠端でのレンズ全系の焦点距離ｆｔとの比を規定している。条件式(５)を満足することで、レンズ全長の短縮と望遠側での収差補正の両立が容易となる。
条件式(５)の上限の条件が満たされないと、第１群の焦点距離が相対的に短くなり、望遠側での収差の拡大倍率が大きくなるため、軸上色収差や球面収差の変動を抑制することが困難となる。
条件式(５)の下限の条件が満たされないと、第１群の焦点距離が相対的に長く成り過ぎ、第１群の小型化が難しくなり、レンズ全系での小型軽量化が困難となる。
【００３９】
条件式(６)は、広角端における第３群と第４群の空気間隔Ｌ３４ｗと、望遠端における第３群と第４群の空気間隔Ｌ３４tとの比を規定している。条件式(６)を満足することで、レンズ全長の短縮化と高変倍比化との両立を容易としている。
条件式(６)の上限の条件が満たされないと、第４群が望遠端において、広角端を基準として像側に変位することになり、レンズ全長が増大してしまう。
条件式(６)の下限の条件が満たされないと第２群の変位量を大きくすることができず、高変倍比化とレンズ全長短縮の両立が困難となる。
【００４０】
更に好ましくは、条件式(３)乃至条件式(６)の数値範囲を次のように設定するのが良い。
２．０５＜｜ｍ２／ｍ３｜＜２．９０  ・・・(３ａ)
０．７２＜β４ｔ／β４ｗ＜０．９８  ・・・(４ａ)
３．５０＜ｆｔ／ｆ１＜４．５０  ・・・(５ａ)
２０．００＜Ｌ３４ｔ／Ｌ３４ｗ＜１８０．００  ・・・(６ａ)
以下に本発明のズームレンズの数値実施例１〜７のレンズ構成の特徴を説明する。
【００４１】
［実施例１］
数値実施例１に対応する実施例１における変倍に際しての移動群である第２群Ｕ２、第３群Ｕ３、第４群Ｕ４について説明する。第２群Ｕ２は、数値実施例１において第１１レンズ面〜第１７レンズ面に対応し、物体側から像側へ順に、負レンズと、負レンズと正レンズがこの順に貼り合わされた接合レンズ、負レンズにて構成されている。第３群Ｕ３は、数値実施例１において第１８レンズ面〜第２４レンズ面に対応し、物体側から像側へ順に、２枚の正レンズと、負レンズと正レンズがこの順に貼り合わされた接合レンズにて構成されている。  第４群Ｕ４は、数値実施例１において第２５レンズ面〜第２７レンズ面に対応し、物体側から像側へ順に、負レンズと正レンズがこの順に貼り合わされた接合レンズにて構成されている。非球面は第１１レンズ面、第１９レンズ面、第２５レンズ面に各々用いられており、第１１レンズ面は主に広角側の歪曲収差の補正、第１９レンズ面は広角側のコマ収差等の軸外収差の補正、第２５レンズ面は望遠側の球面収差の補正を行っている。
本実施例の各条件式の対応値を表１に示す。本数値実施例はいずれの条件式も満足しており、良好な光学性能を達成しつつ、１１５倍の高変倍比と小型化を両立している。
【００４２】
［実施例２］
数値実施例２に対応する実施例２における変倍に際しての移動群である第２群Ｕ２、第３群Ｕ３、第４群Ｕ４について説明する。第２群Ｕ２は、数値実施例２において第１１レンズ面〜第１７レンズ面に対応し、物体側から像側へ順に、負レンズと、負レンズと正レンズがこの順に貼り合わされた接合レンズ、負レンズにて構成されている。第３群Ｕ３は、数値実施例２において第１８レンズ面〜第２４レンズ面に対応し、物体側から像側へ順に、２枚の正レンズと、負レンズと正レンズがこの順に貼り合わされた接合レンズにて構成されている。  第４群Ｕ４は、数値実施例２１において第２５レンズ面〜第２６レンズ面に対応し、１枚の正レンズにて構成されている。非球面は第１１レンズ面、第１９レンズ面、第２５レンズ面に各々用いられており、第１１レンズ面は主に広角側の歪曲収差の補正、第１９レンズ面は広角側のコマ収差等の軸外収差の補正、第２５レンズ面は望遠側の球面収差の補正を行っている。
本実施例の各条件式の対応値を表１に示す。本数値実施例はいずれの条件式も満足しており、第４群が１枚の正レンズによる構成ながら良好な光学性能を達成しつつ、１００倍の高変倍比と小型化を両立している。
【００４３】
［実施例３］
数値実施例３に対応する実施例３における変倍に際し移動する、第２群Ｕ２、第３群Ｕ３、第４群Ｕ４について説明する。第２群Ｕ２は、数値実施例３において第１１レンズ面〜第１７レンズ面に対応し、物体側から像側へ順に、負レンズと、負レンズと正レンズがこの順に貼り合わされた接合レンズ、負レンズにて構成されている。第３群Ｕ３は、数値実施例３において第１８レンズ面〜第２４レンズ面に対応し、物体側から像側へ順に、２枚の正レンズと、負レンズと正レンズがこの順に貼り合わされた接合レンズにて構成されている。第４群Ｕ４は、数値実施例３において第２５レンズ面〜第２８レンズ面に対応し、物体側から像側へ順に、1枚の負レンズと1枚の正レンズにて構成されている。非球面は第１１レンズ面、第１９レンズ面、第２５レンズ面に各々用いられており、第１１レンズ面は主に広角側の歪曲収差の補正、第１９レンズ面は広角側のコマ収差等の軸外収差の補正、第２５レンズ面は望遠側の球面収差の補正を行っている。
本実施例の各条件式の対応値を表１に示す。本数値実施例はいずれの条件式も満足しており、良好な光学性能を達成しつつ、１２０倍の高変倍比と小型化を両立している。
【００４４】
［実施例４］
数値実施例４に対応する実施例４は、実施例１と同様の構成である。非球面は第１１レンズ面、第１９レンズ面、第２５レンズ面に各々用いられており、第１１レンズ面は主に広角側の歪曲収差の補正、第１９レンズ面は広角側のコマ収差等の軸外収差の補正、第２５レンズ面は望遠側の球面収差の補正を行っている。本数値実施例は、表１に示すようにいずれの条件式も満足しており、良好な光学性能を達成しながら、１１５倍の高変倍比と小型化を両立している。
【００４５】
［実施例５］
数値実施例５に対応する実施例５は、実施例２と同様の構成である。非球面は第１１レンズ面、第１９レンズ面、第２５レンズ面に各々用いられており、第１１レンズ面は主に広角側の歪曲収差の補正、第１９レンズ面は広角側のコマ収差等の軸外収差の補正、第２５レンズ面は望遠側の球面収差の補正を行っている。本数値実施例は、表１に示すようにいずれの条件式も満足しており、第４群が１枚の正レンズによる構成ながら、良好な光学性能を達成しつつ、１３５倍の高変倍比と小型化を両立している。
【００４６】
［実施例６］
数値実施例６に対応する実施例６は、実施例３と同様の構成である。非球面は第１１レンズ面、第１９レンズ面、第２５レンズ面に各々用いられており、第１１レンズ面は主に広角側の歪曲収差の補正、第１９レンズ面は広角側のコマ収差等の軸外収差の補正、第２５レンズ面は望遠側の球面収差の補正を行っている。本数値実施例は、表１に示すように条件式(１)〜(３)(５)(６)を満足しており、良好な光学性能を達成しつつ、１２０倍の高変倍比と小型化を両立している。
【００４７】
［実施例７］
数値実施例７に対応する実施例７における変倍に際し移動する、第２群Ｕ２、第３群Ｕ３、第４群Ｕ４について説明する。第２群Ｕ２は、数値実施例７において第２０レンズ面〜第２６レンズ面に対応し、物体側から像側へ順に、負レンズと、正レンズと負レンズがこの順に貼り合わされた接合レンズ、負レンズにて構成されている。第３群Ｕ３は、数値実施例１において第２７レンズ面〜第３３レンズ面に対応し、物体側から像側へ順に、２枚の正レンズと、負レンズと正レンズがこの順に貼り合わされた接合レンズにて構成されている。第４群Ｕ４は、数値実施例１において第３４レンズ面〜第３５レンズ面に対応し、１枚の正レンズにて構成されている。非球面は第２０レンズ面、第２８レンズ面、第３４レンズ面に各々用いられており、第２０レンズ面は主に望遠側の球面収差の補正、第２８レンズ面は広角側のコマ収差等の軸外収差の補正、第３４レンズ面は望遠側の球面収差の補正を行っている。
本実施例の各条件式の対応値を表１に示す。本数値実施例は条件式(１)〜(３)、(６)を満足しており、良好な光学性能を達成しつつ、２８倍の高変倍比と小型化を両立している。
【００４８】
図１７は、本発明の実施例１〜７のズームレンズを撮影光学系として用いた撮像装置（テレビカメラシステム）の要部概略図である。図１７において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第５群Ｒを有している。第１群Ｆは合焦用群が含まれている。
【００４９】
変倍部ＬＺは変倍のために光軸上を移動する第２群と第３群と、変倍に伴う像面変動を補正するために光軸上を移動する第４群が含まれている。ＳＰは開口絞りである。第５群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。
【００５０】
１１９〜１２１は、第１群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００５１】
このように本発明のズームレンズをテレビカメラに適用することにより、高い光学性能を有する撮像装置を実現している。
以上、本発明の好ましい実施形態について説明したが、本発明はこれらの実施形態に限定されず、その要旨の範囲内で種々の変形及び変更が可能である。
【００５２】
次に本発明の実施例１〜６に対応する数値実施例１〜６を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。最後の３つの面はフィルタ等の硝子ブロックである。焦点距離、Ｆナンバー、画角は、それぞれ無限遠物体に焦点を合わせたときの値を表している。ＢＦはガラスブロックの最終面から像面までの距離を空気換算した値である。
【００５３】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
ｘ＝（ｙ2／ｒ）／｛１＋（１−ｋ×ｙ2／ｒ2）0.5｝＋A２×ｙ2＋A３×ｙ3＋A４×ｙ4＋A５×ｙ5＋A６×ｙ6＋A７×ｙ7＋A８×ｙ8＋A９×ｙ9＋A１０×ｙ10＋A１１×ｙ11＋A１２×ｙ12
各実施例と前述した各条件式との対応を表１に示す。
【００５４】
(数値実施例１)
単位 mm
面データ
面番号       r        d      nd         vd       有効径
1       3985.747    6.00   1.83400    37.2      206.45
2        345.219    2.24                        199.19
3        350.731   25.92   1.43387    95.1      198.83
4       -634.409   27.72                        197.65
5        329.460   19.51   1.43387    95.1      197.70
6      -4308.249    0.25                        197.24
7        260.932   19.16   1.43387    95.1      192.72
8       1950.635    1.20                        191.51
9        213.609   14.00   1.49700    81.5      181.41
10        393.837  (可変)                        178.73
11*     20598.048    2.20   2.00330    28.3       45.13
12         44.632    8.84                         39.64
13        -66.973    1.40   1.88300    40.8       38.77
14         52.127    8.74   1.95906    17.5       38.54
15        -73.546    1.53                         38.39
16        -54.749    1.60   1.90366    31.3       37.89
17       -582.266  (可変)                         38.44
18        128.983    9.05   1.59282    68.6       75.47
19*      -440.727    0.50                         75.89
20        123.132   14.63   1.59282    68.6       77.94
21       -154.849    0.20                         77.69
22        133.822    2.50   1.80518    25.4       73.06
23         56.533   17.88   1.43875    94.9       68.54
24       -212.021  (可変)                         67.58
25*       198.349    3.50   1.66680    33.0       63.53
26        103.927    7.48   1.64000    60.1       61.01
27      -8144.734  (可変)                         59.73
28(絞り)    ∞       2.88                         29.71
29        -98.274    1.40   1.81600    46.6       28.27
30         23.407    0.20                         26.57
31         23.936    5.69   1.80809    22.8       26.66
32        390.280    5.26                         26.22
33        -63.075    1.40   1.88300    40.8       24.74
34         89.459   19.95                         24.71
35       -196.119    1.80   1.64000    60.1       29.05
36         94.860    3.94   1.84666    23.8       29.75
37        126.948    3.03                         30.26
38       1201.962    7.00   1.48749    70.2       31.34
39        -34.275    0.20                         32.23
40       -622.792    1.60   1.88300    40.8       32.04
41         37.272    9.92   1.49700    81.5       32.04
42        -49.934    0.20                         32.95
43        160.862    8.66   1.54814    45.8       33.11
44        -34.283    1.60   1.88300    40.8       32.94
45       -144.347    0.20                         33.69
46         95.118   10.08   1.48749    70.2       34.01
47        -41.802   14.00                         34.22
48          ∞      33.00   1.60859    46.4       60.00
49          ∞      13.20   1.51633    64.2       60.00
50          ∞     (ＢＦ)                         60.00
像面        ∞   
非球面データ
第11面
K =-4.15562e+006  A 4= 6.03842e-007  A 6=-2.92255e-010  A 8= 1.02124e-013  
第19面
K =-7.33314e+001  A 4= 4.79311e-007  A 6= 3.65689e-011  A 8=-1.99253e-015  
第25面
K = 1.92273e+000  A 4=-7.93312e-008  A 6=-2.43104e-011  A 8= 7.41843e-015  
各種データ
ズーム比    115.00 
広角     中間      望遠
焦点距離       8.90    90.00   1023.50  
Fナンバー      1.80     1.80      5.30  
半画角        31.72     3.50      0.31  
像高           5.50     5.50      5.50  
レンズ全長   637.06   637.06    637.06  
BF            11.98    11.98     11.98  
d10            2.82   157.56    206.43  
d17          277.24    97.34      2.00  
d24            0.78    10.55     59.46  
d27            3.00    18.39     15.96  
入射瞳位置   129.62   986.39  13916.45  
射出瞳位置   145.41   145.41    145.41  
前側主点位置 139.12  1137.10  22791.17  
後側主点位置   3.08   -78.02  -1011.52  
ズームレンズ群データ
群  始面    焦点距離  レンズ構成長  前側主点位置  後側主点位置
1    1     266.03       116.01        66.77        -19.51
2   11     -25.32        24.31         4.84        -11.48
3   18      66.26        44.75         9.10        -21.59
4   25     313.91        10.98        -0.02         -6.67
5   28      35.40       145.19        49.87         23.34
単レンズデータ
レンズ  始面  焦点距離
1       1   -450.65
2       3    523.45
3       5    704.54
4       7    690.17
5       9    912.87
6      11    -44.21
7      13    -32.82
8      14     32.50
9      16    -66.47
10      18    168.73
11      20    117.61
12      22   -122.22
13      23    103.58
14      25   -330.00
15      26    159.76
16      29    -22.93
17      31     31.02
18      33    -41.47
19      35    -99.26
20      36    415.42
21      38     68.25
22      40    -39.55
23      41     44.50
24      43     52.11
25      44    -50.97
26      46     60.84
【００５５】
(数値実施例２)
単位 mm
面データ
面番号       r        d      nd         vd       有効径
1       8000.000    6.00   1.83400    37.2      203.14
2        373.691    1.54                        196.31
3        361.776   26.52   1.43387    95.1      195.88
4       -518.880   25.95                        194.76
5        370.520   17.79   1.43387    95.1      195.86
6      -3369.467    0.25                        195.38
7        241.028   17.39   1.43387    95.1      190.27
8        861.689    1.20                        189.00
9        203.790   14.06   1.49700    81.5      180.28
10        421.379  (可変)                        178.55
11*      3657.872    2.20   2.00330    28.3       43.68
12         40.621   10.00                         38.06
13        -45.369    1.40   1.88300    40.8       37.28
14         98.142    5.97   1.95906    17.5       38.21
15        -67.097    0.69                         38.35
16        -64.854    1.60   1.75500    52.3       38.11
17       -212.532  (可変)                         38.81
18        140.986   10.25   1.56907    71.3       73.95
19*      -186.006    0.50                         74.45
20        102.215   13.53   1.56907    71.3       76.54
21       -162.778    0.20                         76.28
22        159.988    2.50   1.84666    23.8       71.24
23         60.722   13.35   1.43875    94.9       66.81
24      -6797.000  (可変)                         65.80
25*       254.766    5.14   1.60311    60.6       64.51
26       -369.734  (可変)                         63.83
27(絞り)    ∞       2.93                         33.88
28       -155.154    1.40   1.83481    42.7       32.37
29         24.535    6.89   1.76182    26.5       30.31
30       2780.241    3.70                         29.93
31        -96.909    1.85   1.83481    42.7       28.91
32         71.731    0.15                         28.60
33         33.014    4.69   1.84666    23.8       29.04
34        155.745    5.42                         28.39
35       -122.347    1.58   1.83481    42.7       26.53
36         58.258    7.24                         25.99
37        -72.547    1.91   1.71736    29.5       26.54
38         34.123   15.00   1.65160    58.5       27.93
39        -50.824    3.00                         30.61
40       -403.126    4.32   1.54814    45.8       30.86
41        -47.125    3.12                         30.98
42        -68.761    3.07   1.88300    40.8       29.74
43         37.681    9.19   1.51742    52.4       30.16
44        -49.851    0.20                         31.18
45        164.690    7.05   1.49700    81.5       31.54
46        -34.793    2.50   1.83481    42.7       31.55
47        -98.072    1.18                         32.48
48         69.220    7.25   1.54814    45.8       32.77
49        -56.118   14.45                         32.39
50          ∞      33.00   1.60859    46.4       60.00
51          ∞      13.20   1.51633    64.2       60.00
52          ∞     (ＢＦ)                         60.00
像面        ∞   
非球面データ
第11面
K =-9.90196e+004  A 4= 1.00187e-006  A 6=-7.44468e-010  A 8= 5.01326e-013  
第19面
K =-1.87503e+001  A 4= 2.45550e-007  A 6= 7.82502e-011  A 8=-3.75504e-015  
第25面
K = 1.36886e+001  A 4=-1.59307e-007  A 6=-1.02866e-010  A 8= 3.28743e-015  
各種データ
ズーム比    100.00 
広角     中間      望遠
焦点距離       8.90    85.00    890.00  
Fナンバー      1.80     1.80      4.60  
半画角        31.72     3.70      0.35  
像高           5.50     5.50      5.50  
レンズ全長   616.09   616.09    616.09  
BF            10.69    10.69     10.69  
d10            2.71   151.20    198.10  
d17          269.28    96.90      1.99  
d24            0.22     5.24     27.64  
d26            0.86    19.73     45.35  
入射瞳位置   124.84   917.05   9476.01  
射出瞳位置   152.70   152.70    152.70  
前側主点位置 134.30  1052.93  15943.77  
後側主点位置   1.79   -74.30   -879.30  
ズームレンズ群データ
群  始面    焦点距離  レンズ構成長  前側主点位置  後側主点位置
1    1     259.25       110.70        62.07        -20.39
2   11     -25.74        21.85         3.58        -12.51
3   18      69.30        40.33         5.79        -20.84
4   25     249.89         5.14         1.31         -1.90
5   27      40.10       154.30        57.57         20.54
単レンズデータ
レンズ  始面  焦点距離
1       1   -467.21
2       3    494.58
3       5    768.56
4       7    762.85
5       9    775.10
6      11    -40.62
7      13    -34.77
8      14     41.75
9      16   -123.64
10      18    142.08
11      20    112.04
12      22   -115.80
13      23    136.91
14      25    249.89
15      28    -25.15
16      29     32.17
17      31    -48.86
18      33     48.15
19      35    -46.83
20      37    -31.86
21      38     33.55
22      40     96.43
23      42    -27.04
24      43     42.83
25      45     58.31
26      46    -65.41
27      48     57.43
【００５６】
（数値実施例３）
単位 mm
面データ
面番号       r        d      nd         vd       有効径
1       7496.258    6.00   1.83400    37.2      201.64
2        344.164    2.23                        194.71
3        349.736   25.87   1.43387    95.1      194.38
4       -565.439   26.59                        194.29
5        326.652   19.74   1.43387    95.1      197.77
6      -4043.556    0.25                        197.31
7        249.968   20.07   1.43387    95.1      192.58
8       1915.030    1.20                        191.30
9        211.501   14.00   1.49700    81.5      180.86
10        386.419  (可変)                        178.09
11*     22316.175    2.20   2.00330    28.3       46.39
12         50.780    7.94                         41.12
13        -86.174    1.40   1.88300    40.8       40.21
14         47.377    8.21   1.95906    17.5       39.13
15       -117.264    2.50                         38.74
16        -61.921    1.60   1.78590    44.2       37.93
17        285.780  (可変)                         38.28
18        158.865   11.03   1.59240    68.3       78.58
19*      -205.280    0.50                         79.13
20        157.989   11.74   1.59282    68.6       80.47
21       -254.407    0.20                         80.13
22        108.777    2.50   1.84666    23.8       76.38
23         58.188   17.69   1.43875    94.9       72.04
24       -397.524  (可変)                         71.06
25*       176.188    3.50   1.66680    33.0       68.27
26         95.351    0.14                         65.59
27         97.403    8.53   1.64000    60.1       65.59
28       5811.627  (可変)                         64.32
29(絞り)    ∞       2.82                         31.83
30       -119.198    1.40   1.81600    46.6       30.49
31         35.774    0.20                         29.08
32         32.391    4.90   1.80809    22.8       29.24
33        292.767    6.10                         28.70
34        -51.576    1.40   1.88300    40.8       26.76
35       -237.871    2.54                         26.79
36        -65.994    1.80   1.75500    52.3       26.66
37        117.420    3.80   1.84666    23.8       27.19
38       2376.520    3.03                         27.53
39          ∞      14.24   1.62041    60.3       28.19
40        148.949    6.17                         30.21
41       1450.149    6.97   1.48749    70.2       32.15
42        -36.614    0.20                         32.84
43       -241.417    1.60   1.88300    40.8       32.32
44         42.402    9.66   1.49700    81.5       32.24
45        -44.507    0.20                         32.90
46        434.659    8.74   1.56732    42.8       32.57
47        -26.401    1.60   1.88300    40.8       32.32
48       -112.145    0.20                         33.40
49         85.248    7.85   1.48749    70.2       33.65
50        -43.428   14.00                         33.43
51          ∞      33.00   1.60859    46.4       60.00
52          ∞      13.20   1.51633    64.2       60.00
53          ∞     (ＢＦ)                         60.00
像面        ∞   
非球面データ
第11面
K =-4.15562e+006  A 4= 5.49974e-007  A 6=-1.72378e-010  A 8= 3.80646e-014  
第19面
K =-2.05037e+001  A 4=-2.80466e-008  A 6= 5.63081e-011  A 8=-5.33471e-015  
第25面
K = 4.98959e+000  A 4=-1.20669e-007  A 6=-4.00844e-011  A 8= 6.62094e-015  
各種データ
ズーム比    120.00 
広角     中間      望遠
焦点距離       9.00    90.00   1080.00  
Fナンバー      1.80     1.80      5.60  
半画角        31.43     3.50      0.29  
像高           5.50     5.50      5.50  
レンズ全長   640.68   640.68    640.68  
BF            11.97    11.97     11.97  
d10            2.83   152.47    199.72  
d17          281.46   103.52      1.99  
d24            0.20     9.97     35.19  
d28            3.00    21.53     50.59  
入射瞳位置   130.95   971.56  14210.01  
射出瞳位置   240.54   240.54    240.54  
前側主点位置 140.31  1097.00  20392.98  
後側主点位置   2.97   -78.03  -1068.02  
ズームレンズ群データ
群  始面    焦点距離  レンズ構成長  前側主点位置  後側主点位置
1    1     260.40       115.95        66.13        -19.56
2   11     -25.01        23.84         6.14         -9.62
3   18      71.80        43.65         8.20        -21.13
4   25     306.37        12.17        -0.25         -7.67
5   29      44.44       145.61        55.86         23.20
単レンズデータ
レンズ  始面  焦点距離
1       1   -429.95
2       3    501.08
3       5    695.81
4       7    658.56
5       9    913.06
6      11    -50.31
7      13    -34.25
8      14     35.59
9      16    -64.28
10      18    152.37
11      20    165.59
12      22   -149.74
13      23    116.78
14      25   -314.94
15      27    154.08
16      30    -33.41
17      32     44.24
18      34    -74.41
19      36    -55.47
20      37    144.35
21      39   -239.14
22      41     73.12
23      43    -40.50
24      44     45.24
25      46     43.93
26      47    -39.22
27      49     60.02
【００５７】
（数値実施例４）
単位 mm
面データ
面番号       r        d      nd         vd       有効径
1       5793.014    6.00   1.83400    37.2      208.89
2        342.037    2.32                        199.75
3        349.174   26.52   1.43387    95.1      199.46
4       -605.233   26.73                        198.38
5        325.511   20.05   1.43387    95.1      198.44
6      -3616.038    0.25                        197.99
7        256.834   19.77   1.43387    95.1      193.35
8       2109.250    1.20                        192.13
9        212.141   14.00   1.49700    81.5      181.65
10        398.858  (可変)                        179.13
11*      16798.456    2.20   2.00330    28.3      53.09
12         69.079    8.47                         47.57
13        -91.374    1.40   1.88300    40.8       46.07
14         53.825   10.48   1.95906    17.5       43.78
15        -72.949    1.94                         43.06
16        -52.818    1.60   1.90366    31.3       41.50
17        137.854  (可変)                         40.31
18        140.805    9.33   1.59282    68.6       69.73
19*      -462.549    0.50                         70.27
20        161.166   10.80   1.59282    68.6       71.26
21       -184.359    0.20                         71.08
22        113.121    2.50   1.80518    25.4       68.14
23         56.598   14.32   1.43875    94.9       64.71
24      -1547.770  (可変)                         63.77
25*       159.862    3.50   1.66680    33.0       60.82
26         90.866    8.06   1.64000    60.1       58.76
27      -2232.092  (可変)                         57.64
28(絞り)    ∞       2.91                         31.31
29       -106.280    1.40   1.81600    46.6       30.12
30         34.710    0.20                         28.96
31         31.646    6.16   1.80809    22.8       29.20
32        734.917    5.53                         28.50
33        -72.897    1.40   1.88300    40.8       26.66
34        140.432   22.72                         26.50
35        -90.869    1.80   1.64000    60.1       28.11
36        194.274    2.92   1.84666    23.8       28.69
37        159.905    3.03                         29.09
38       1087.633    6.23   1.48749    70.2       30.11
39        -47.445    0.20                         31.04
40       -169.196    1.60   1.88300    40.8       31.16
41         54.346    9.62   1.49700    81.5       31.72
42        -39.224    0.20                         32.87
43       1288.478    7.48   1.54814    45.8       32.98
44        -37.788    1.60   1.88300    40.8       33.01
45        -92.434    0.20                         33.69
46         54.608    9.80   1.48749    70.2       33.73
47        -69.816   14.00                         32.68
48          ∞      33.00   1.60859    46.4       60.00
49          ∞      13.20   1.51633    64.2       60.00
50          ∞     (ＢＦ)                         60.00
像面        ∞   
非球面データ
第11面
K =-4.15562e+006  A 4= 9.64938e-007  A 6=-2.11065e-010  A 8= 4.00855e-013  
第19面
K =-7.63858e+001  A 4= 1.91972e-007  A 6= 2.39994e-011  A 8= 3.29461e-016  
第25面
K = 2.26047e+000  A 4=-9.56035e-008  A 6=-2.25528e-011  A 8= 1.13017e-014  
各種データ
変倍比    115.00 
広角     中間      望遠
焦点距離       8.90    90.00   1024.50  
Fナンバー      1.80     1.80      5.30  
半画角        31.72     3.49      0.31  
像高           5.50     5.50      5.50  
レンズ全長   636.89   636.89    636.89  
BF            12.00    12.00     12.00  
d10            2.74   152.94    199.14  
d17          280.68   104.25      2.00  
d24            1.15     4.95     83.43  
d27            3.00    25.42      3.00  
入射瞳位置   136.55  1028.47  15444.88  
射出瞳位置   151.11   151.11    151.11  
前側主点位置 146.02  1176.84  23998.24  
後側主点位置   3.10   -78.06  -1011.47  
ズームレンズ群データ
群  始面    焦点距離  レンズ構成長  前側主点位置  後側主点位置
1    1     260.74       116.84        67.49        -18.81
2   11     -26.63        26.08         8.33         -8.15
3   18      77.31        37.65         6.15        -18.81
4   25     240.15        11.56         0.32         -6.69
5   28      39.14       145.20        55.23         16.79
単レンズデータ
レンズ  始面  焦点距離
1       1   -433.30
2       3    513.40
3       5    687.63
4       7    670.18
5       9    887.02
6      11    -68.57
7      13    -37.97
8      14     33.22
9      16    -41.77
10      18    182.51
11      20    146.26
12      22   -142.21
13      23    124.48
14      25   -320.02
15      26    136.07
16      29    -31.76
17      31     40.35
18      33    -53.86
19      35    -96.12
20      36  -1100.24
21      38     93.11
22      40    -46.16
23      41     47.32
24      43     66.76
25      44    -72.97
26      46     64.31
【００５８】
（数値実施例５）
単位 mm
面データ
面番号       r        d      nd         vd       有効径
1       1300.941    6.00   1.83400    37.2      217.60
2        291.045    2.42                        205.10
3        297.351   27.47   1.43387    95.1      204.17
4       -916.326   26.45                        201.96
5        304.176   19.64   1.43387    95.1      196.87
6     -64063.025    0.25                        196.37
7        256.190   20.10   1.43387    95.1      192.07
8       2748.569    1.20                        190.85
9        215.536   14.00   1.43875    94.9      180.28
10        463.858  (可変)                        178.37
11*     16820.626    2.20   2.00330    28.3       55.11
12        103.687    7.07                         50.45
13       -112.525    1.40   1.88300    40.8       48.01
14         44.393    9.02   1.95906    17.5       43.50
15       -227.604    3.63                         42.35
16        -63.966    1.60   1.88300    40.8       40.50
17         84.986  (可変)                         38.82
18        146.306   11.55   1.55332    71.7       76.85
19*      -162.830    0.50                         77.26
20        120.278   10.56   1.59282    68.6       77.99
21       -465.328    0.20                         77.48
22        113.681    2.50   1.84666    23.8       73.89
23         54.340   15.45   1.43875    94.9       69.05
24     -93823.566  (可変)                         68.18
25*       159.441    8.49   1.59551    39.2       65.84
26       7631.673  (可変)                         63.73
27(絞り)    ∞       3.81                         32.64
28        -65.634    1.40   1.81600    46.6       31.35
29         38.490    0.20                         30.60
30         36.274    6.01   1.80809    22.8       30.86
31       -550.522    4.81                         30.51
32       -101.638    1.40   1.88300    40.8       29.26
33       -478.263    1.99                         29.20
34       -173.501    1.80   1.75500    52.3       29.03
35        110.372    2.83   1.84666    23.8       29.07
36        204.004    3.03                         29.06
37          ∞      13.39   1.62041    60.3       29.36
38         90.490    5.92                         30.43
39       -989.776    5.43   1.48749    70.2       31.96
40        -40.759    0.20                         32.48
41       -125.869    1.60   1.88300    40.8       32.32
42         41.430    9.89   1.49700    81.5       32.84
43        -34.517    0.20                         33.59
44         88.728   10.84   1.56732    42.8       33.52
45        -30.080    1.60   1.88300    40.8       32.88
46      -1248.023    0.20                         33.52
47         81.277    8.44   1.48749    70.2       33.87
48        -38.832   14.00                         33.78
49          ∞      33.00   1.60859    46.4       60.00
50          ∞      13.20   1.51633    64.2       60.00
51          ∞     (ＢＦ)                         60.00
像面        ∞   
非球面データ
第11面
K =-4.15562e+006  A 4= 1.29729e-006  A 6=-1.70902e-010  A 8= 4.37596e-013  A10= 2.88303e-017  
第19面
K =-1.17434e+001  A 4=-8.13611e-008  A 6= 2.78100e-011  A 8= 2.24605e-014  A10=-8.30743e-018  
第25面
K = 1.38954e+000  A 4=-2.04062e-008  A 6=-1.14741e-010  A 8= 1.15408e-013  A10=-4.62148e-017  
各種データ
ズーム比    135.00 
広角     中間      望遠
焦点距離       8.80    85.00   1188.00  
Fナンバー      1.80     1.80      6.16  
半画角        32.01     3.70      0.27  
像高           5.50     5.50      5.50  
レンズ全長   642.61   642.61    642.61  
BF            12.05    12.05     12.05  
d10            2.64   148.46    194.50  
d17          287.03   114.22      1.99  
d24            1.02     6.34     36.45  
d26            3.00    24.67     60.75  
入射瞳位置   140.80  1009.00  17365.10  
射出瞳位置   378.26   378.26    378.26  
前側主点位置 149.82  1113.73  22407.00  
後側主点位置   3.25   -72.95  -1175.95  
ズームレンズ群データ
群  始面    焦点距離  レンズ構成長  前側主点位置  後側主点位置
1    1     259.83       117.52        66.93        -21.05
2   11     -24.69        24.92        10.77         -5.42
3   18      76.13        40.76         5.52        -21.36
4   25     271.69         8.49        -0.11         -5.42
5   27      50.30       145.20        58.52         20.02
単レンズデータ
レンズ  始面  焦点距離
1       1   -447.91
2       3    519.71
3       5    696.08
4       7    647.96
5       9    899.84
6      11   -103.13
7      13    -35.69
8      14     38.86
9      16    -40.89
10      18    140.69
11      20    161.75
12      22   -124.16
13      23    123.48
14      25    271.69
15      28    -29.40
16      30     41.88
17      32   -145.58
18      34    -88.70
19      35    277.38
20      37   -145.28
21      39     86.74
22      41    -34.94
23      42     39.49
24      44     40.73
25      45    -34.73
26      47     54.99
【００５９】
（数値実施例６）
単位 mm
面データ
面番号       r        d      nd         vd       有効径
1      18038.086    6.00   1.83400    37.2      203.90
2        342.554    2.21                        195.94
3        347.445   27.44   1.43387    95.1      195.67
4       -499.176   26.19                        194.62
5        325.077   17.73   1.43387    95.1      197.74
6       5634.881    0.25                        197.26
7        258.904   20.76   1.43387    95.1      193.65
8       4202.299    1.20                        192.48
9        210.198   14.00   1.49700    81.5      181.51
10        414.167  (可変)                        179.36
11*     17543.108    2.20   2.00330    28.3       52.13
12         92.815    6.86                         47.67
13       -108.038    1.40   1.88300    40.8       45.76
14         50.682    7.40   1.95906    17.5       42.41
15       -221.450    3.18                         41.67
16        -62.429    1.60   1.75500    52.3       40.82
17         82.841  (可変)                         39.16
18        164.117   12.68   1.59240    68.3       78.40
19*      -122.176    0.50                         78.78
20        121.814    7.68   1.59282    68.6       78.50
21        606.634    0.20                         77.86
22        122.771    2.50   1.84666    23.8       76.13
23         63.969   14.11   1.43875    94.9       72.40
24       3015.157  (可変)                         71.62
25*       171.034    3.50   1.66680    33.0       68.34
26         95.139    0.21                         66.11
27         98.146    9.36   1.64000    60.1       66.11
28       -675.791  (可変)                         65.11
29(絞り)    ∞       3.31                         31.79
30        -81.931    1.40   1.81600    46.6       30.54
31         33.583    0.20                         29.48
32         33.682    6.02   1.80809    22.8       29.60
33       3707.619    5.24                         29.16
34        -84.153    1.40   1.88300    40.8       27.94
35        555.793   27.73                         27.94
36       -177.582    1.80   1.75500    52.3       29.28
37        108.778    2.84   1.84666    23.8       29.62
38         97.497    3.03                         29.86
39       1212.081    6.79   1.48749    70.2       30.71
40        -38.480    0.20                         31.62
41       -348.818    1.60   1.88300    40.8       31.55
42         48.776    8.71   1.49700    81.5       31.70
43        -53.620    0.20                         32.50
44       1020.319    8.29   1.56732    42.8       32.56
45        -31.299    1.60   1.88300    40.8       32.57
46        -85.990    0.20                         33.48
47         82.479    7.89   1.48749    70.2       33.60
48        -48.408   14.00                         33.58
49          ∞      33.00   1.60859    46.4       60.00
50          ∞      13.20   1.51633    64.2       60.00
51          ∞     (ＢＦ)                         60.00
像面        ∞   
非球面データ
第11面
K =-4.15562e+006  A 4= 1.19348e-006  A 6=-1.02612e-010  A 8= 3.61444e-013  
第19面
K =-5.14987e+000  A 4=-1.42395e-007  A 6= 3.56009e-011  A 8=-2.80215e-015  
第25面
K = 2.56737e+000  A 4=-8.50439e-008  A 6=-3.35634e-011  A 8= 1.62886e-015  
各種データ
ズーム比    120.00 
広角     中間      望遠
焦点距離       9.00    90.00   1080.00  
Fナンバー      1.80     1.80      5.60  
半画角        31.43     3.50      0.29  
像高           5.50     5.50      5.50  
レンズ全長   643.67   643.67    643.67  
BF            11.99    11.99     11.99  
d10            2.67   148.22    194.19  
d17          286.72   107.71      1.98  
d24            1.50    14.45     13.50  
d28            3.00    23.51     84.22  
入射瞳位置   135.91   961.78  14621.12  
射出瞳位置   142.08   142.08    142.08  
前側主点位置 145.53  1114.04  24666.86  
後側主点位置   2.99   -78.01  -1068.01  
ズームレンズ群データ
群  始面    焦点距離  レンズ構成長  前側主点位置  後側主点位置
1    1     258.98       115.79        67.05        -18.24
2   11     -25.96        22.64         9.31         -5.75
3   18      78.97        37.66         4.95        -19.62
4   25     230.00        13.06         1.82         -6.23
5   29      38.54       148.65        55.89         17.86
単レンズデータ
レンズ  始面  焦点距離
1       1   -416.10
2       3    475.65
3       5    792.33
4       7    633.31
5       9    837.16
6      11    -92.24
7      13    -38.68
8      14     43.01
9      16    -46.72
10      18    119.79
11      20    254.71
12      22   -159.32
13      23    148.37
14      25   -325.28
15      27    134.01
16      30    -28.88
17      32     41.60
18      34    -82.21
19      36    -88.70
20      37  -1244.08
21      39     76.38
22      41    -48.09
23      42     52.73
24      44     53.39
25      45    -56.18
26      47     63.62
27      49      0.00
28      50      0.00
【００６０】
（数値実施例７）
単位 mm
面データ
面番号       r        d      nd         vd       有効径
1        367.273    5.35   1.77250    49.6      174.04
2        103.630   48.44                        146.46
3       -172.586    4.40   1.69680    55.5      145.32
4        661.258    0.09                        147.62
5        252.609   11.18   1.80518    25.4      149.98
6       1073.304    6.46                        149.72
7       6108.371   18.99   1.43387    95.1      149.38
8       -186.138    0.10                        149.19
9      -4069.943    4.20   1.72047    34.7      141.43
10        247.894   18.79   1.49700    81.5      137.42
11       -360.414   26.25                        136.83
12        707.021   19.58   1.43387    95.1      144.90
13       -214.457    1.58                        145.54
14        168.148    4.30   1.75520    27.5      145.04
15        114.254    0.87                        140.15
16        117.649   28.12   1.49700    81.5      140.16
17      -2493.992    0.08                        139.33
18        152.682   14.72   1.62041    60.3      133.70
19        711.234  (可変)                        132.33
20*       437.403    2.50   1.77250    49.6       53.73
21         44.690    4.02                         46.24
22         62.673    9.85   1.80809    22.8       44.94
23        -70.154    1.50   1.75500    52.3       43.22
24         51.480    7.41                         36.64
25        -44.364    1.50   1.88300    40.8       36.63
26       -191.122  (可変)                         38.21
27        107.302    7.68   1.59282    68.6       50.48
28*      -111.966    0.10                         50.70
29        148.736    8.09   1.43875    94.9       50.44
30        -82.690    0.61                         50.15
31        -93.102    1.90   1.84666    23.8       49.56
32       -826.008    4.39   1.43875    94.9       49.53
33       -112.173  (可変)                         49.48
34*       215.874    5.21   1.59282    68.6       45.76
35       -165.358  (可変)                         45.21
36(絞り)    ∞       2.67                         29.49
37        -65.511    1.50   1.69680    55.5       28.91
38         27.094    6.11   1.80809    22.8       28.09
39         55.265   22.99                         27.37
40       -102.984    1.50   1.77250    49.6       28.97
41         35.101   10.94   1.60342    38.0       29.96
42        -29.630    0.20                         30.91
43        -31.078    1.60   1.81600    46.6       30.79
44         98.616   12.85   1.59551    39.2       33.36
45        -47.974    3.00                         36.97
46      -1196.825    5.47   1.53172    48.8       38.66
47        -74.286    0.20                         39.20
48        234.171    2.00   1.88300    40.8       39.14
49         39.291   10.31   1.49700    81.5       38.60
50       -105.835    0.81                         39.24
51         94.775    9.45   1.49700    81.5       39.69
52        -60.453    2.00   1.76182    26.5       39.37
53       -380.731    0.20                         39.55
54         99.287    9.90   1.48749    70.2       39.52
55        -51.883   13.04                         38.94
56          ∞      33.00   1.60859    46.4       50.00
57          ∞      13.20   1.51633    64.2       50.00
58          ∞     (ＢＦ)                         50.00
像面        ∞   
非球面データ
第20面
K =-1.87877e+002  A 4= 6.84455e-007  A 6=-6.25050e-011  A 8=-1.31670e-013  
第28面
K =-1.07578e+000  A 4= 5.78026e-007  A 6=-8.77281e-011  A 8= 6.21590e-014  
第34面
K = 1.50536e+001  A 4=-4.06447e-007  A 6=-3.78830e-010  A 8= 2.01115e-013  
各種データ
ズーム比     28.00 
広角     中間      望遠
焦点距離       6.75    35.00    189.00  
Fナンバー      1.55     1.55      2.30  
半画角        39.17     8.93      1.67  
像高           5.50     5.50      5.50  
レンズ全長   610.04   610.04    610.04  
BF            12.06    12.06     12.06  
d19            2.00    74.41    108.48  
d26          161.24    69.11      1.25  
d33            1.55     3.67     24.34  
d35            2.00    19.60     32.71  
入射瞳位置   110.00   230.90    902.44  
射出瞳位置    83.72    83.72     83.72  
前側主点位置 117.39   283.00   1589.90  
後側主点位置   5.31   -22.94   -176.94  
ズームレンズ群データ
群  始面    焦点距離  レンズ構成長  前側主点位置  後側主点位置
1    1     103.72       213.50       126.84         58.96
2   20     -28.72        26.78        11.80         -6.48
3   27      71.58        22.77         4.27        -11.34
4   34     158.21         5.21         1.86         -1.42
5   36      30.08       162.94        49.42          6.84
単レンズデータ
レンズ  始面  焦点距離
1       1   -187.65
2       3   -195.16
3       5    404.06
4       7    415.67
5       9   -321.99
6      10    297.72
7      12    380.75
8      14   -484.73
9      16    226.21
10      18    309.01
11      20    -64.31
12      22     41.94
13      23    -38.94
14      25    -65.37
15      27     93.32
16      29    122.13
17      31   -122.87
18      32    294.54
19      34    158.21
20      37    -27.21
21      38     59.32
22      40    -33.57
23      41     28.27
24      43    -28.65
25      44     55.70
26      46    147.98
27      48    -53.42
28      49     58.88
29      51     75.58
30      52    -93.76
31      54     71.20
【００６１】
【表１】
2014081464.tif 000003
【符号の説明】
【００６２】
Ｕ１：第１群
Ｕ２：第２群
Ｕ３：第３群
Ｕ４：第４群
Ｕ５：第５群
【図１】
2014081464.tif 000004
【図２】
2014081464.tif 000005
【図３】
2014081464.tif 000006
【図４】
2014081464.tif 000007
【図５】
2014081464.tif 000008
【図６】
2014081464.tif 000009
【図７】
2014081464.tif 000010
【図８】
2014081464.tif 000011
【図９】
2014081464.tif 000012
【図１０】
2014081464.tif 000013
【図１１】
2014081464.tif 000014
【図１２】
2014081464.tif 000015
【図１３】
2014081464.tif 000016
【図１４】
2014081464.tif 000017
【図１５】
2014081464.tif 000018
【図１６】
2014081464.tif 000019
【図１７】
2014081464.tif 000020